(57)【要約】【課題】  底部の周囲から立設された側壁部又はその一部が上方へ向かって拡がる形状を成すパルプモールド製容器に関し、該側壁部の少なくとも一部を内方へ起こし、さらには、必要に応じて内方へ倒すことができ、それにより、外形輪郭や容器開口の形状を変えることができるようにする。【解決手段】  底部１２の周囲から立設された側壁部１１が上方へ向かって拡がる形状を成すパルプモールド製容器。側壁部１１は、該側壁部１１を上面視で二分割する仮想平面９が該側壁部１１と交叉する仮想交叉部１０９に於いて鋭角的に突出して成る鋭角突出部１９を有し、鋭角突出部１１の先端部分である突出先端部１９０を曲げ補助線として側壁部１１の対向する部位を開口１０寄りの上部にて相互に近づけるように容器内方へ変移させ得る。【選択図】  図１
2019043630.tif 000002
【特許請求の範囲】
【請求項１】
底部の周囲から立設された側壁部が上方へ向かって拡がる形状を成すパルプモールド製容器であって、
前記側壁部は、該側壁部を上面視で二分割する仮想平面が該側壁部と交叉する仮想交叉部に於いて鋭角的に突出して成る鋭角突出部を有し、
前記鋭角突出部の先端部分である突出先端部を曲げ補助線として前記側壁部の対向する部位を開口寄りの上部にて相互に近づけるように容器内方へ変移させ得る、
ことを特徴とするパルプモールド製容器。
【請求項２】
請求項１に於いて、
前記側壁部は、該側壁部を上面視で二分割する仮想平面が該側壁部と交叉する仮想交叉部に於いて容器外方へ鋭角的に突出して成る鋭角突出部を有する、
ことを特徴とするパルプモールド製容器。
【請求項３】
請求項１に於いて、
前記側壁部は、該側壁部を上面視で二分割する仮想平面が該側壁部と交叉する仮想交叉部に於いて容器内方へ鋭角的に突出して成る鋭角突出部を有する、
ことを特徴とするパルプモールド製容器。
【請求項４】
請求項１〜請求項３の何れかに於いて、
前記底部は上面視で楕円形を成し、
前記仮想平面は楕円形の長軸に沿って二分割する、
ことを特徴とするパルプモールド製容器。
【請求項５】
請求項１〜請求項３の何れかに於いて、
前記底部は上面視で円形を成し、
前記仮想平面は相互に直交し前記円形の中央で交叉する２平面である、
ことを特徴とするパルプモールド製容器。
【請求項６】
請求項１〜請求項３の何れかに於いて、
前記底部は上面視で正方形を成し、
前記仮想平面は相互に直交し前記正方形の角部を通る２平面である、
ことを特徴とするパルプモールド製容器。
【請求項７】
請求項１〜請求項３の何れかに於いて、
前記底部は上面視で正方形を成し、
前記仮想平面は相互に直交し前記正方形の辺の中央部を通る２平面である、
ことを特徴とするパルプモールド製容器。
【請求項８】
請求項１〜請求項７の何れかに於いて、
さらに、前記側壁部の上端の開口の縁から外方へ張り出すように設けられた張出部を有し、該張出部は前記仮想平面と交叉する仮想交叉部に於いて切離されることにより分断されている、
ことを特徴とするパルプモールド製容器。
【発明の詳細な説明】
【技術分野】
【０００１】
本発明は、底部の周囲から立設された側壁部の少なくとも一部が上方へ向かって拡がる形状を成すパルプモールド製容器に関する。詳しくは、上方へ向かって拡がる形状の側壁部を内方へ起こすことができ、さらには、必要に応じて内方へ倒すことができ、それにより、外形輪郭や容器開口の形状を変えることができるパルプモールド製容器に関する。
【背景技術】
【０００２】
底部と該底部の周囲から立設された側壁部とを備えた容器形状のパルプモールド成形品が、種々、提供されている。例えば、青果物トレイや鶏卵容器等のように底部に被収容物に応じた形状の複数の収容凹部を備えた容器、比較的サイズの大きな青果物を１個収容して店頭でのディスプレイに供される容器、底部が平坦で１回〜少数回の使用を前提とする簡易型食器、育苗ポットや植木鉢等として用いられる容器、被収容物とともに処理される小型（携帯型）のゴミ等の容器である。
【０００３】
かかるパルプモールド製容器は、いわゆるパルプモールド成形法により製造される。即ち、植物繊維を含む古紙等の材料を水に溶かした泥漿中に、所定の製品形状を転写するための型面を有する金型（成形型）を浸漬し、型面に開口する多数の細孔を通して泥漿を吸引し、該型面を覆うように密接されている金網上にパルプ繊維を付着・堆積させた後、剥離（型抜き）し、乾燥させることにより成形品を得る手法によって製造される。
この成形法に於ける剥離（型抜き）工程が支障なく行われるように、パルプモールド製容器の側壁部は、その全部又は大部分（少なくとも一部）が、上方へ向かって拡がる形状を成すように設定されている。
【０００４】
特開２０１７−０６５７８０号公報（特許文献１）には、長手方向の中央位置を折り曲げ線として湾曲させ得る（同公報の図６参照）パルプモールド製の青果物トレイが開示されている。該特許文献１の青果物トレイでは、上面視で４行５列の入れ位置に配設された２０個の収納凹部間の隔壁等の構造を工夫することで、上記中央位置での折り曲げを可能としている。例えば、長手方向中央位置に於いて該長手方向に直交する方向に延びる仮想線Ｌ（同公報の図１参照）の近傍位置にて該仮想線Ｌに沿う隔壁５ａの高さを、他の隔壁５ｂの高さより高く設定等することで、上記中央位置での折り曲げを可能としている。
【先行技術文献】
【特許文献】
【０００５】
【特許文献１】特開２０１７−０６５７８０号公報
【発明の概要】
【発明が解決しようとする課題】
【０００６】
前述のように、パルプモールド製容器の側壁部又はその一部は、上方へ向かって拡がる形状を成す。このため、側壁部の上端縁の連なりが成す容器開口の形状は、底部の周囲が成す形状とは異なり、一般には、底部の周囲よりサイズが大きな相似形状となる。このため、例えば、パルプモールド製容器を箱詰めする場合、底部ではなく容器開口のサイズを基準として箱のサイズを決めることとなり、箱サイズ選定の自由度が制約を受ける。
本発明の或る目的は、箱サイズの選定の自由度を上げることにある。
【０００７】
パルプモールド製容器を箱詰めして搬送する場合、容器の側壁部外面の全体（又は大部分）が、箱の側壁部内面の全体（又は大部分）に密接している方が、ガタツキが少なくなって好ましい。しかるに、パルプモールド製容器の多くは、その機能上の観点から、或る程度の剛性を有し、変形し難く、当然ながら、上方へ向かって拡がる形状を成す側壁部も変形し難い。容器側壁部外面−箱側壁部内面の密接面積を大きくするためには、上方へ向かって拡がるように傾斜している側壁部を内方へ起こして、垂直方向を向かせる必要があるが、上記のように変形し難いため、内方へ起こすことができない。無理に起こそうとすると破壊する畏れさえもある。
本発明の別の或る目的は、機能上必要とされるパルプモールド製容器の剛性を損なうことなく、側壁部を内方へ起こしてその大部分を垂直方向に向かせ得るようにすることにより、容器側壁部外面−箱側壁部内面の接触／密接面積を増大可能とすることにある。
【０００８】
パルプモールド製容器の一例として、前述したように、育苗ポットや植木鉢が挙げられる。育苗ポットや植木鉢では、内部に所望の苗や植木及び土等を収容した状態で箱詰めしたり、或いは、トレイ内に配設された保持枠内に収容したい場合がある。その場合、育苗ポットや植木鉢内に収容されている土面より上の部分の側壁部を内方へ若干倒して垂直方向を向けることができれば、隣接する育苗ポット等との干渉を防げるとともに、育苗ポット等内に収容されている苗や植木を損傷することも防止できる。
本発明の別の或る目的は、パルプモールド製容器が苗や植木が土とともに収容された容器である場合に、当該の育苗ポット内に収容されている土面より上の部分の側壁部を垂直方向を向けることができるようにすることにある。
【０００９】
パルプモールド製容器の別の一例として、前述したように、ゴミ等の被収容物とともに処理される小型（携帯型）の容器が挙げられる。この容器では、収容したゴミ等が外部に漏れでないように確実に保持できるとともに、収容したゴミ等が外部から見えないように蓋をでき、さらに、蓋をした状態で、手で持って簡単に運べることが望まれる。
本発明の別の或る目的は、パルプモールド製容器がゴミや廃油或いは排泄物等の被収容物とともに処理される容器である場合に、該被収容物を確実に保持でき、且つ、被収容物が見えないように蓋をでき、さらに、蓋をした状態で、簡単に手で持って運べるようにすることにある。
【００１０】
ようするに本発明は、底部の周囲から立設された側壁部又はその一部が上方へ向かって拡がる形状を成すパルプモールド製容器に関し、該側壁部の少なくとも一部を内方へ起こし、さらには、必要に応じて内方へ倒すことができ、それにより、外形輪郭や容器開口の形状を変えることができるようにすることを目的とする。
【課題を解決するための手段】
【００１１】
本発明の構成を、下記［１］〜［８］に記す。なお、この項（［課題を解決するための手段］）と次項（［発明の効果］）に於いて、符号は理解を容易にするために付したものであり、本発明を符号の構成に限定する趣旨ではない。
【００１２】
［１］構成１
底部１２の周囲から立設された側壁部１１が上方へ向かって拡がる形状を成すパルプモールド製容器１００（１００ａ〜１００ｈ）であって、
前記側壁部１１は、該側壁部１１を上面視で二分割する仮想平面９が該側壁部１１と交叉する仮想交叉部１０９に於いて鋭角的に突出して成る鋭角突出部１９を有し、
前記鋭角突出部１９の先端部分である突出先端部１９０を曲げ補助線として前記側壁部１１の対向する部位を開口１０寄りの上部にて相互に近づけるように容器内方へ変移させ得る、
ことを特徴とするパルプモールド製容器１００（１００ａ〜１００ｈ）。
パルプモールド製容器１００を製造するパルプモールド成形法とは、植物繊維を含む古紙等の材料を水に溶かした泥漿中に、所定の製品形状（本願では容器１００の形状）を転写するための型面を備えた金型（成形型）を浸漬し、型面に開口する多数の細孔を通して泥漿を吸引し、その表面を覆うように設けられている金網上にパルプ繊維を付着させて堆積させた後、剥離し（型抜きし）、乾燥させることにより成形品を得る手法である。
剥離（型抜き）工程に於いて、半製品（乾燥前の成形品）を型面から支障なく剥がし得るためには、半製品の容器形状が容器開口へ向かって拡がる形状であることを要する。この要請から「側壁部１１が上方へ向かって拡がる形状を成す」と記述したものである。したがって、側壁部１１の一部は上方へ向かって拡がる形状ではなく、例えば、上方へ垂直に立設されているような場合でも、側壁部１１の残部が上方へ向かって拡がる形状を成していて剥離（型抜き）工程に支障が無い場合であれば、本構成１で規定される「側壁部１１が上方へ向かって拡がる形状を成す」パルプモールド製容器１００（１００ａ〜１００ｈ）に該当する。
なお、パルプモールド成形法は公知であるため、これ以上の説明は割愛する。
【００１３】
［２］構成２
構成１に於いて、
前記側壁部１１は、該側壁部１１を上面視で二分割する仮想平面９が該側壁部１１と交叉する仮想交叉部１０９に於いて容器外方へ鋭角的に突出して成る鋭角突出部１９ａを有する、
ことを特徴とするパルプモールド製容器１００。
［３］構成３
構成１に於いて、
前記側壁部１１は、該側壁部１１を上面視で二分割する仮想平面９が該側壁部１１と交叉する仮想交叉部１０９に於いて容器内方へ鋭角的に突出して成る鋭角突出部１９ｂを有する、
ことを特徴とするパルプモールド製容器。
【００１４】
［４］構成４
構成１〜構成３の何れかに於いて、
前記底部１２は上面視で楕円形を成し、
前記仮想平面９は楕円形の長軸に沿って二分割する、
ことを特徴とするパルプモールド製容器。
［５］構成５
構成１〜構成３の何れかに於いて、
前記底部１２は上面視で円形を成し、
前記仮想平面９は相互に直交し前記円形の中央で交叉する２平面９ｘ，９ｙである、
ことを特徴とするパルプモールド製容器。
［６］構成６
構成１〜構成３の何れかに於いて、
前記底部１２は上面視で正方形を成し、
前記仮想平面９は相互に直交し前記正方形の角部を通る２平面９ｘ，９ｙである、
ことを特徴とするパルプモールド製容器。
［７］構成７
構成１〜構成３の何れかに於いて、
前記底部１２は上面視で正方形を成し、
前記仮想平面９は相互に直交し前記正方形の辺の中央部を通る２平面９ｘ，９ｙである、
ことを特徴とするパルプモールド製容器。
【００１５】
［８］構成８
構成１〜構成７の何れかに於いて、
さらに、前記側壁部１１の上端の開口の縁１０から外方へ張り出すように設けられた張出部２を有し、該張出部２は前記仮想平面９と交叉する仮想交叉部２０９に於いて切離されることにより分断されている、
ことを特徴とするパルプモールド製容器。
【発明の効果】
【００１６】
構成１は、底部１２の周囲から立設された側壁部１１が上方へ向かって拡がる形状を成すパルプモールド製容器１００であって、前記側壁部１１は、該側壁部１１を上面視で二分割する仮想平面９が該側壁部１１と交叉する仮想交叉部１０９に於いて鋭角的に突出して成る鋭角突出部１９を有し、前記鋭角突出部１９の先端部分である突出先端部１９０を曲げ補助線として前記側壁部１１の対向する部位を開口１０寄りの上部にて相互に近づけるように容器内方へ変移させ得るものであるため、側壁部の少なくとも一部を容器内方へ向けて起こすことができる。また、鋭角突出部１９付近の形状として、大きな曲げを可能とする形状を採用した場合には、必要に応じて内方へ倒すこともできる。このため、外形輪郭や容器開口の形状を変えることができる。したがって、例えば、容器を箱詰めする場合に、その箱の横断面のサイズが容器開口のサイズより若干小さくても、箱詰めすることができる。また、箱詰めした場合に、容器側壁部の外面と箱の内面との接触面積を大きくとれるため、ガタツキを抑制できる。
構成２は構成１の鋭角突出部１９として、容器外方へ突出する形状の鋭角突出部１９ａを採用したものであり、構成３は容器内方へ突出する形状の鋭角突出部１９ｂを採用したものであるため、容器の目的／用途に応じて、適切な形状を選択できる効果がある。
構成４〜構成７は、容器の底部１２の形状を楕円形／円形／方形／方形としたものであり、容器の目的／用途に応じて適切な形状を選択できる効果がある。
構成５〜構成７は、仮想平面９を直交する２平面としたものであり、側壁部の少なくとも一部を容器内方へ起こし、又は、倒す際に、容器の目的／用途に応じて、より適切な起こし／倒しをできる効果がある。
構成８は、容器の開口の縁から外方へ張り出す張出部２を設け、且つ、該張出部２を側壁部１１と同様に容器内方へ向けて倒し／起こすことができるようにしたものである。このため、例えば、張出部２を容器の蓋として用いたり、また、把手として用いる等、容器の目的／用途に応じた適宜の使い方を可能にする効果がある。
【図面の簡単な説明】
【００１７】
【図１】第１の実施の形態（鋭角突出部が１個）のパルプモールド製容器を示す斜視図。（ａ）は容器内後方側を、（ｂ）は容器内前方側を、それぞれ視認可能に示す。
【図２】図１のパルプモールド製容器の平面図。（ａ）は通常の状態、（ｂ）は側壁部を容器内方へ若干起こした状態を示す。
【図３】図１のパルプモールド製容器の斜視図。（ａ）は通常の状態、（ｂ）は側壁部を容器内方へ若干起こした状態を示す。
【図４】（ａ）は第２の実施の形態（鋭角突出部が２個，容器外方へ突出）のパルプモールド製容器を示す斜視図、（ｂ）は第３の実施の形態（鋭角突出部が２個，容器内方へ突出）のパルプモールド製容器を示す斜視図。
【図５】第４の実施の形態（鋭角突出部が４個，底部が円形）のパルプモールド製容器を示す斜視図。（ａ）は低い角度位置から見た様子を示し、（ｂ）は高い角度位置から見た様子を示す。
【図６】（ａ）は図５のパルプモールド製容器の平面図、（ｂ）は正面図。
【図７】第５の実施の形態（鋭角突出部が４個，底部が方形）のパルプモールド製容器を示す斜視図。（ａ）は低い角度位置から見た様子を示し、（ｂ）は高い角度位置から見た様子を示す。
【図８】（ａ）は図７のパルプモールド製容器の平面図、（ｂ）は正面図。
【図９】図７のパルプモールド製容器の斜視図。（ａ）は通常の状態、（ｂ）は側壁部を容器内方へ若干起こした状態を示す。
【図１０】第６の実施の形態（鋭角突出部が４個，底部が方形）のパルプモールド製容器を示す斜視図。（ａ）は低い角度位置から見た様子を示し、（ｂ）は高い角度位置から見た様子を示す。
【図１１】（ａ）は図１０のパルプモールド製容器の平面図、（ｂ）は正面図。
【図１２】（ａ）は第７の実施の形態（張出部を有し、鋭角突出部の形状が前方側と後方側で異なる）のパルプモールド製容器を示す斜視図、（ｂ）は平面図。
【図１３】図１２のパルプモールド製容器の斜視図。（ａ）は通常の状態、（ｂ）は側壁部を容器内方へ若干起こした状態、（ｃ）はさらに起こした状態を示す。
【図１４】第８の実施の形態（張出部を有し、鋭角突出部が２個）のパルプモールド製容器を示す斜視図。（ａ）は高い角度位置から見た様子を示し、（ｂ）は低い角度位置から見た様子を示す。
【図１５】（ａ）は図１４のパルプモールド製容器の平面図、（ｂ）は正面図、（ｃ）は左（又は右）側面図。
【発明を実施するための形態】
【００１８】
図面を参照して、本発明の実施の形態を説明する。
（１）第１の実施の形態
図１〜図３は、第１の実施の形態のパルプモールド製容器１００ａを示す。
パルプモールド製容器１００ａは、パルプモールド成形法により製造され、上面視で楕円形を成す底部１２と、該底部１２の全周囲から上方へ向かって拡がる形状を成すように立設された側壁部１１を有する。パルプモールド成形法とは、植物繊維を含む古紙等の材料を水に溶かした泥漿中に、所定の製品形状（ここでは容器１００ａの形状）を転写するための型面を備えた金型（成形型）を浸漬し、型面に開口する多数の細孔を通して型面の背後から泥漿を吸引し、型面を覆うように設けられている金網上にパルプ繊維を付着させて堆積させた後、剥離（型抜き）し、乾燥させることにより成形品を得る手法である。上述のように側壁部１１が上方へ向かって拡がる形状を成す理由の一つは、パルプモールド成形法に於ける剥離（型抜き）工程を支障なく行い得るようにすることにある。
【００１９】
底部１２の楕円の長軸の一方の延長線（図２で左方への延長線）と交叉する部位に於いて、側壁部１１は、容器の外方へ向けて鋭角的に突出する形状を成す。言い換えれば、側壁部１１は、底部１２の楕円の長軸に沿って容器１００ａを垂直に二分割する仮想平面９が、側壁部１１と交叉する一方の部位（図２で左方に位置する仮想交叉部１０９）に於いて、容器外方へ鋭角的に突出して成る鋭角突出部１９を有する。この鋭角突出部１９の先端部分を、以下、突出先端部１９０という。この突出先端部１９０を折り曲げの補助線として用いることで、側壁部１１を、容器内方へ起こす／倒すことができる。
【００２０】
即ち、側壁部１１の仮想平面９を挟み対向する部位１１ｒ，１１ｓが相互に近づくように、側壁部１１の上部寄り（開口の縁１０寄り）の部位に力（図３（ｂ）の力Ｆ，参照）を印加して容器内方へ押すことにより、側壁部１１の上部寄りの部位を、容器内方へ起こす／倒すことができる。これにより、図２に示すように、側壁部１１の上面視での幅が、ｔ１からｔ１０へ減少する。その結果、例えば、側壁部１１を起こす前の状態（図２（ａ））では箱８に収容できなかったものが、起こした後（図２（ｂ））は収容可能となる。また、箱８に収容した状態では、側壁部１１の弾力により元に戻ろうとする力が働くため、側壁部１１の外面と箱の側壁部の内面とが密接し、結果、ガタツキが抑制される。
なお、図示のように、底部１２の幅はｔ０で不変である。
この第１の実施の形態に特に適した容器としては、例えば、撥水性／撥油性を持たせた水差し、廃油受け等を挙げることができる。
【００２１】
（２）第２の実施の形態
図４（ａ）は、第２の実施の形態のパルプモールド製容器１００ｂを示す。
第２の実施の形態は、略、第１の実施の形態と同様である。異なる点は、第１の実施の形態では鋭角突出部１９（及び突出先端部１９０）が１個であったのに対して、第２の実施の形態では２個設けられている点である。
【００２２】
即ち、第２の実施の形態では、側壁部１１は、底部１２の楕円の長軸に沿って容器１００ｂを垂直に二分割する仮想平面９が、側壁部１１と交叉する二つの部位（楕円の長軸の両端側の各延長部位）に於いて、容器外方へ鋭角的に突出して成る鋭角突出部１９，１９（及び突出先端部１９０，１９０）を有する。なお、図４（ａ）では、鋭角突出部を「１９（１９ａ）」として表記し、突出先端部を「１９０（１９０ａ）」として表記しているが、これらは、鋭角突出部が容器外方へ突出する構成（第１、第２の実施の形態）を、容器内方へ突出する構成（第３の実施の形態，後述）と区別して、「ａ」の表記を付したものである。
【００２３】
第２の実施の形態では、仮想平面９が側壁部１１と交叉する二つの部位（楕円の長軸の両端側）に、それぞれ、鋭角突出部１９（及び突出先端部１９０）を設けているため、楕円の長軸両端という対応位置に在る二つの突出先端部１９０を折り曲げの補助線として用いることができ、側壁部１１を、より均等に、容器内方へ起こす／倒すことができる。
この第２の実施の形態に特に適した容器としては、例えば、前掲の水差しや廃油受けの他、小物入れ、お菓子入れ、バケツ等を挙げることができる。
【００２４】
（３）第３の実施の形態
図４（ｂ）は、第３の実施の形態のパルプモールド製容器１００ｃを示す。
第３の実施の形態は、略、第２の実施の形態と同様である。異なる点は、第２の実施の形態では鋭角突出部１９ａ（及び突出先端部１９０ａ）が容器外方へ突出されていたのに対して、第３の実施の形態では容器内方へ突出されている点である。
【００２５】
このように、鋭角突出部１９ｂ（及び突出先端部１９０ｂ）が、容器外方ではなく容器内方へ突出されているため、側壁部１１の上部寄りの部位を容器内方へ起こし／倒した場合に於ける、仮想平面９に沿う方向での側壁部の幅（上面視での幅）の増加を、抑制することかできる。即ち、第１及び第２の実施の形態では、側壁部の幅（上面視での幅）が楕円の長軸方向で増加していたのに対して、第３の実施の形態では、増加しないか、又は、増加する場合でもその程度を抑制することができる。このため、箱８（図２参照）の上面視でのサイズとしても、楕円の長軸方向に於いてより小さなサイズを採用することができる。なお、図４（ｂ）では、鋭角突出部を「１９（１９ｂ）」として表記し、突出先端部を「１９０（１９０ｂ）」として表記しているが、これらは、鋭角突出部が容器内方へ突出する構成（第３の実施の形態）を、容器外方へ突出する構成（第１、第２の実施の形態，後述）と区別して、「ｂ」の表記を付したものである。
この第３の実施の形態に特に適した容器として、例えば、小物入れ、お菓子入れ、バケツ等を挙げることができる。
【００２６】
（４）第４の実施の形態
図５〜図６は、第４の実施の形態のパルプモールド製容器１００ｄを示す。
第４の実施の形態では、底部１２を円形（上面視で円形）に構成するとともに、鋭角突出部１９（及び突出先端部１９０）を、９０°間隔で均等に計４個設けている。即ち、相互に直交する仮想平面９ｘ，９ｙが、側壁部と交叉する各部位に、鋭角突出部１９（及び突出先端部１９０）を設けている。
【００２７】
このように構成しているため、側壁部１１を起こす／倒す際には、側壁部１１ｕと側壁部１１ｒ、側壁部１１ｒと側壁部１１ｔ、側壁部１１ｔと側壁部１１ｓ、側壁部１１ｓと側壁部１１ｕを、それぞれの上部（開口の縁１０寄りの部位）が相互に近づくように押すこととなる。その結果、開口の縁の変形度合いを比較的小さく保ったまま、サイズを小さくすることができる。なお、図示の例では鋭角突出部１９が容器外方へ突出する構成が示されているが、これに代えて、容器内方へ突出する構成（図４（へ），参照）としてもよい。その構成では、第３の実施の形態の効果を４箇所で得ることができる。
この第４の実施の形態に特に適した容器としては、例えば、育苗ポット、植木鉢、比較的サイズの大きな青果物（メロンや小玉西瓜等）の店頭ディスプレイ用の容器、ボール入れ等を挙げることができる。
【００２８】
（５）第５の実施の形態
図７〜図９は、第５の実施の形態のパルプモールド製容器１００ｅを示す。
第５の実施の形態では、底部１２を正方形（上面視で正方形）に構成するとともに、鋭角突出部１９（及び突出先端部１９０）を、正方形の角部に対応する各部位に、９０°間隔で、計４個設けている。即ち、相互に直交する仮想平面９ｘ，９ｙが側壁部と交叉する各部位（正方形の角部を横切る位置）に、鋭角突出部１９（及び突出先端部１９０）を設けている。
【００２９】
このように構成しているため、側壁部１１を起こす／倒す際には、側壁部１１ｕと側壁部１１ｒ、側壁部１１ｒと側壁部１１ｔ、側壁部１１ｔと側壁部１１ｓ、側壁部１１ｓと側壁部１１ｕを、それぞれの上部（開口の縁１０寄りの部位）が相互に近づくように押すこととなる。その結果、開口の縁の変形度合いを比較的小さく保ったまま、サイズを小さくすることができる。なお、図示の例では鋭角突出部１９が容器外方へ突出する構成が示されているが、これに代えて、容器内方へ突出する構成（図４（ｂ），参照）としてもよい。その構成では、第３の実施の形態の効果を４箇所で得ることができる。
この第５の実施の形態に特に適した容器としては、例えば、育苗ポット、植木鉢、比較的サイズの大きな青果物（メロンや小玉西瓜等）の店頭ディスプレイ用の容器、ボール入れ等を挙げることができる。
【００３０】
（６）第６の実施の形態
図１０〜図１１は、第６の実施の形態のパルプモールド製容器１００ｆを示す。
第６の実施の形態では、底部１２を正方形（上面視で正方形）に構成するとともに、鋭角突出部１９（及び突出先端部１９０）を、正方形の各辺の中央に対応する各部位に、９０°間隔で、計４個設けている。即ち、相互に直交する仮想平面９ｘ，９ｙが側壁部と交叉する各部位（正方形の辺の中央を横切る位置）に、鋭角突出部１９（及び突出先端部１９０）を設けている。
【００３１】
このように構成しているため、側壁部１１を起こす／倒す際には、側壁部１１ｕと側壁部１１ｒ、側壁部１１ｒと側壁部１１ｔ、側壁部１１ｔと側壁部１１ｓ、側壁部１１ｓと側壁部１１ｕを、それぞれの上部（開口の縁１０寄りの部位）が相互に近づくように押すこととなる。その結果、開口の縁の変形度合いを比較的小さく保ったまま、サイズを小さくすることができる。なお、図示の例では鋭角突出部１９が容器外方へ突出する構成が示されているが、これに代えて、容器内方へ突出する構成（図４（ｂ），参照）としてもよい。その構成では、第３の実施の形態の効果を４箇所で得ることができる。
この第６の実施の形態に特に適した容器としては、例えば、育苗ポット、植木鉢、比較的サイズの大きな青果物（メロンや小玉西瓜等）の店頭ディスプレイ用の容器、ボール入れ等を挙げることができる。
【００３２】
（７）第７の実施の形態
図１２〜図１３は、第７の実施の形態のパルプモールド製容器１００ｇを示す。
第７の実施の形態は、パルプモールド製容器１００を、排便容器１００ｇに特化した例である。即ち、ポータブルトイレにセットして使用し、使用後、ポータブルトイレから取り出して排便とともに破砕し、既設の下水道に流す用途に特化したものである。
【００３３】
ポータブルトイレにセットする必要上、側壁部の上端の開口の縁１０から容器外方へ張り出すようにして、張出部２を設けている。また、排便を収容する必要上、原料の泥漿中に公知の撥水剤（例：パラフィン系エマルジョン，ロジン乳化液，ロジンサイズ，アルキルケテンダイマー，等）を、公知の手法により添加して、製品の防水性能を高めている。なお、撥水剤は、成形品に塗布することで防水性能を高めてもよい。このことは、他の実施の形態に関しても同様である。
【００３４】
第７の実施の形態の基本構成は、第２の実施の形態と略同様である。このため、異なる点を中心に説明し、同様の点は、図中に同じ符号を付すこととして割愛する。以下で、前後左右は、パルプモールド製容器１００ｇをポータブルトイレにセットしたときの使用者を基準とする。
【００３５】
張出部２は、仮想平面９と交叉する前後２箇所の各仮想交叉部２０９に於いて切離されており、切離部２０９Ｌにて分断された２部分２ａ，２ｂから成る。このように分断されているため、張出部２を、側壁部１１を折り曲げる際に、側壁部１１とともに容器部分を覆うように変移させることが可能となるのである。以下、張出部２ａを右張出部、張出部２ｂを左張出部とも言う。右張出部２ａと左張出部２ｂの各々は、容器部分の開口の縁１０に沿って設けられた縁溝部２１と、該縁溝部２１の外側に該縁溝部２１に沿って設けられた長手状凸部２２と、該長手状凸部２２の外側に該長手状凸部２２に沿って設けられた外溝部２３とを有する。これら縁溝部２１と外溝部２３とは、長手方向の両端に於いて相互に連通されている。言い換えれば、縁溝部２１と外溝部２３とによって、長手状凸部２２は、島状に囲まれている。
【００３６】
中央付近（張出部２の前後２箇所の仮想交叉部２０９，２０９を両端としたときの中央付近）では、容器部分の開口の縁１０は、仮想平面９を挟む面対称形状の対応部位が略平行を成す。この略平行な部位（中央付近）では、開口の縁１０は、外側へ幅を持って延設されることなく直ちに下垂されており、この下垂された部位が、縁溝部２１の当該略平行な部位（中央付近）での内壁部とされている。
【００３７】
両張出部２ａ，２ｂの下面側を手で持って閉じるように内側上方へ押すと、前後２つの鋭角突出部１９の突出先端部１９０が折り曲げの補助線（案内ライン）として機能するとともに、開口の縁１０の中央付近の平行部分が同様に機能する。これにより、側壁部１１の仮想平面９を挟む左右面対称の対応部位１１ｒ，１１ｓが相互に近づくように容器内方へ押し倒され始める。さらに両張出部２ａ，２ｂを押し続けて、両張出部２ａ，２ｂの先端（外溝部２３の外壁部の上端）を相互に当接させると、両張出部２ａ，２ｂによって容器部分の開口の大部分が覆われる。即ち、容器部分に収容されている被収容物が、両張出部２ａ，２ｂによって隠される。
【００３８】
両張出部２ａ，２ｂは、前述のように、縁溝部２１の外側に長手状凸部２２を有し、さらに、その外側に外溝部２３を有する。このため、両張出部２ａ，２ｂの先端（外溝部２３の外壁部の上端）を当接させた状態では、長手状凸部２２の外壁部の壁面が略下方側を向いており、この壁面を把手として用いることができる。
【００３９】
また、長手状凸部２２の外壁部の壁面を把手として用いたとしても、長手状凸部２２の外側に外溝部２３が在り、さらに、この外溝部２３の外壁部が、図１２（ａ）から分かるように、中央付近に於いて外溝部２３の内方へ傾斜しているため、把手としての十分な強度を確保することができる。
【００４０】
容器部分の構成は、第２の実施の形態と略同様であるが、第７の実施の形態では、前方凸部１５が設けられている。即ち、前方側の鋭角突出部１９と底部１２との間に、側壁部１１及び底部１２から容器部分の内方へ突出するようにして、前方凸部１５が設けられており、これにより、側壁部１１を折り曲げる（図１３，参照）際の応力の集中が緩和されている。なお、前方凸部１５と同様の凸部を、後方側に設ける構成も、容器の用途によっては可能である。
【００４１】
（８）第８の実施の形態
図１４〜図１５は、第８の実施の形態のパルプモールド製容器１００ｈを示す。
第８の実施の形態は、第７の実施の形態を汎用化したものである。即ち、張出部２を設けることにより、張出部２で容器部分を覆うような用途全般への適用を可能とするものである。張出部２を有するため切離部２０９Ｌの機能は重要である。仮に、第７や第８の実施の形態のような切離部２０９Ｌを設けない場合には、切離部２０９Ｌの機能を奏し得る別の構成、例えば、側壁部１１の鋭角突出部１９に連続する「張出部２の鋭角突出部」を設ける等の対策を立てることが望ましい。
この第８の実施の形態に特に適した容器としては、例えば、手提げゴミ容器、買い物バッグ等を挙げることができる。
【００４２】
（９）変形例
上記では、鋭角突出部１９（及び突出先端部１９０）を備えた種々の構成例を説明したが、これら以外の構成も可能である。容器の目的／用途に応じて、適宜、容器部分や張出部の構成を変えてよい。また、撥水剤を添加する等して、防水性能を高めてもよい。
上記構成例の中で、第４〜第６の実施の形態は、底部１２が均等形（円形、正方形）であるため、例えば、育苗ポット、植木鉢、店頭ディスプレイ等用の大サイズ青果物容器等として用いるのに適している。
【００４３】
育苗ポットは、内部に所望の育苗及び土等を収容した状態で箱詰めしたり、トレイ内に配設された保持枠内に収容したりされる。その場合、育苗ポット内に収容されている土面より上の部分の側壁部を内方へ若干倒して垂直方向を向けることができれば、隣接する育苗ポットとの干渉を防ぐことができ、育苗ポット内に収容されている育苗を損傷することも防止できる。第４〜第６の実施の形態は、そのような用途にも適している。
【００４４】
上記の各実施の形態では、底部１２が平坦であるが、これに代えて、底部１２に果物収容用の凹部や、鶏卵収容用の凹部を備えてもよい。そのような構成にも、本発明は、適用可能である。
【符号の説明】
【００４５】
１００（１００ａ〜１００ｈ）  パルプモールド製容器
１０  開口の縁
１１（１１ｒ，１１ｓ，１１ｔ，１１ｕ）  側壁部
１２  底部
１９  鋭角突出部
１９０  突出先端部
１０９  （側壁部１１の）仮想交叉部
２  張出部
２０９  （張出部２の）仮想交叉部
２０９Ｌ  切離部
９，９ｘ，９ｙ  仮想平面
【図１】
2019043630.tif 000003
【図２】
2019043630.tif 000004
【図３】
2019043630.tif 000005
【図４】
2019043630.tif 000006
【図５】
2019043630.tif 000007
【図６】
2019043630.tif 000008
【図７】
2019043630.tif 000009
【図８】
2019043630.tif 000010
【図９】
2019043630.tif 000011
【図１０】
2019043630.tif 000012
【図１１】
2019043630.tif 000013
【図１２】
2019043630.tif 000014
【図１３】
2019043630.tif 000015
【図１４】
2019043630.tif 000016
【図１５】
2019043630.tif 000017